(57)【要約】【課題】  媒体切断装置において、カット済み媒体による排出スタック不良や画像擦れを防止すること。【解決手段】  シート状の媒体を搬送方向において案内する案内部（８１）と、案内部により案内される媒体を所定の位置で切断するカッタ部（５１）と、カッタ部により切断されて下方へ垂れた媒体の切断片（９１，９１０）を下方から押し上げる押上部（２００）と、を有する、媒体切断装置による。【選択図】図４
2018002479.tif 000002
【特許請求の範囲】
【請求項１】
媒体を案内する案内部と、
前記案内部により案内される前記媒体を切断するカッタ部と、
前記カッタ部により切断されて下方へ垂れた前記媒体の切断片を下方から押し上げる押上部と、
を有することを特徴とする媒体切断装置。
【請求項２】
前記押上部は、前記切断片の後端部が、前記媒体の先端部と接するように前記切断片を押し上げる、
ことを特徴とする請求項１記載の媒体切断装置。
【請求項３】
前記押上部が前記切断片を押し上げているときに、前記媒体の搬送動作を行う、
ことを特徴とする請求項１または２に記載の媒体切断装置。
【請求項４】
前記カッタ部は、前記媒体の案内方向と交差する方向に沿って設けられた移動経路内に設けられ、
前記媒体が前記移動経路上にあるときに、前記カッタ部が前記移動経路内を移動することで前記媒体を切断する、
ことを特徴とする請求項１乃至３のいずれか１項に記載の媒体切断装置。
【請求項５】
前記カッタ部及び前記押上部を有するカッタユニットを備え、
前記カッタユニットは、前記カッタ部で前記媒体を切断するための切断モードと、前記押上部で前記切断片を押し上げるための押上モードとで、モードを切換可能である、
ことを特徴とする請求項４に記載の媒体切断装置。
【請求項６】
前記切断モードでは、前記カッタ部の高さは前記媒体の高さと同じであり、
前記押上モードでは、前記押上部の高さは前記切断片の後端部よりも下方である、
ことを特徴とする請求項５に記載の媒体切断装置。
【請求項７】
前記押上部が前記切断片の前記案内方向と交差する方向における中央近傍を支持しているときに、前記媒体の搬送動作を行う、
ことを特徴とする請求項５または６に記載の媒体切断装置。
【請求項８】
前記押上部は、前記押上部の上流にある上流側案内部及び前記押上部の下流にある下流側案内部に鉛直方向で重なるように構成されており、
前記押上部は、前記上流側案内部の下流端部よりも鉛直下方、かつ、前記下流側案内部の上流端部よりも鉛直上方に位置する、
ことを特徴とする請求項１ないし７のいずれか１項に記載の媒体切断装置。
【請求項９】
前記押上部が前記切断片と接しているとき、前記媒体の案内方向からみて、前記押上部の前記切断片と接触する面と、前記切断片とが成す角度は９０度未満である
ことを特徴とする請求項１ないし８のいずれか１項に記載の媒体切断装置。
【請求項１０】
請求項１ないし９のいずれか１項に記載の媒体切断装置を備えることを特徴とする液体を吐出する装置。
【請求項１１】
画像形成装置の移動経路に対して着脱可能に装着されるカッタユニットであって、
前記移動経路内を移動することで媒体を切断するカッタ部と、
前記カッタ部により切断されて下方へ垂れた切断片を下方から押し上げる押上部と、
を備え、
前記カッタ部で前記媒体を切断するための切断モードと、前記押上部で前記切断片を押し上げるための押上モードとで、モードを切換可能である、
ことを特徴とするカッタユニット。
【請求項１２】
前記切断モードでは、前記カッタ部の高さは前記媒体の高さと同じであり、
前記押上モードでは、前記押上部の高さは前記切断片の後端部よりも下方である、
ことを特徴とする請求項１１に記載のカッタユニット。
【請求項１３】
第１の媒体と、
前記第１の媒体よりも搬送方向において上流に位置する第２の媒体とを搬送する媒体の搬送方法であって、
前記第１の媒体の後端部を撓ませた後、前記第２の媒体を前記搬送方向へと搬送し、前記第２の媒体の先端部を前記第１の媒体の後端部に接触させ、前記第１の媒体を押し出すようにして搬送する、
ことを特徴とする媒体の搬送方法。
【発明の詳細な説明】
【技術分野】
【０００１】
本発明は、媒体切断装置、液体を吐出する装置、カッタユニット及び媒体の搬送方法に関する。
【背景技術】
【０００２】
シート状の媒体を任意の長さに切断するシート切断装置が知られている。このシート切断装置は、シート状の記録媒体を用いて画像を形成する画像形成装置にも用いられる。この種の画像形成装置は、ロール状に巻かれた長尺のシート状の媒体（以下、「ロール紙」という。）を所定の搬送方向に搬送し、当該ロール紙に画像を形成したのち、シート切断装置を動作させて、ロール紙を所定の長さで切断する。
【０００３】
上記のようなシート切断装置は、ロール紙を搬送方向と直交する方向において切断するカッタ機構を備えている。この種のシート切断装置が備えるカッタ機構は、一対の円形刃物（カッタ）を備えるものがある。特に近年では、厚さや材質の異なる様々なシートを使用するインクジェット式の画像形成装置において、円形刃物で構成されたカッタ機構が多用されている。
【０００４】
シート切断装置においてロール紙を切断した後のカッタ機構は、後続する次シートを切断するために、一旦、元の位置（ホームポジション）に戻す必要がある。このとき、カッタ機構がロール紙を切断するために走行する往路とカッタ機構をホームポジションに戻すために走行する復路が同一経路であると、復路において、カッタ機構の一部（例えば円形刃物の一部）が既に切断済みのシートに接触することがある。カッタ機構が復路において走行しているときに、シートなどに接触すると走行が妨げられて、いわゆるカットジャムなどの不具合の原因になる。
【０００５】
シート切断装置における、上記のようなカットジャムを防止する技術として、カッタ機構の移動経路を往路と復路で異なる経路とする技術が開示されている（例えば、特許文献１を参照）。
【発明の概要】
【発明が解決しようとする課題】
【０００６】
特許文献１に開示されている技術を用いて、シート切断装置におけるカットジャムを防止したとしても、媒体切断装置及び媒体切断装置を備える画像形成装置に関するさらなる課題がある。
【０００７】
例えば、連続的にロール紙を媒体として切断を行うと、切断済みの媒体が排紙ガイドなどに留まることがある。この場合、先に切断された媒体の上に後から切断された媒体が積み重なってスタック不良やジャムの原因になる。また、媒体がロール紙であるがゆえ、切断済みのシートは湾曲することがある。この湾曲によって、切断済みの媒体が排出ガイドをくわえ込むことがあり、排出スタック不良の原因になる。このような排出スタック不良が発生すると、画像形成装置において画像が形成された媒体を切断した場合、切断後の媒体には画像が形成されているので、先に切断されたシートに形成された画像が後から切断された媒体によって擦れてしまう。このような画像への擦れは、印刷結果の質を低下させる原因になる。
【０００８】
本発明は上記の課題に鑑みたものであって、媒体切断装置におけるカット済み媒体の搬送不良を防止することを目的とする。
【課題を解決するための手段】
【０００９】
上記課題を解決するために、本発明の一態様は、媒体切断装置に係るものであって、媒体を案内する案内部と、前記案内部により案内される前記媒体を切断するカッタ部と、前記カッタ部により切断されて下方へ垂れた切断片を下方から押し上げる押上部と、を有することを特徴とする。
【発明の効果】
【００１０】
本発明によれば、媒体切断装置におけるカット済み媒体の搬送不良を防止することができる。
【図面の簡単な説明】
【００１１】
【図１】本発明に係る画像形成装置の一実施形態の構成を示す概略図である。
【図２】上記実施形態に係る画像形成装置の内部構成を示す縦断面図である。
【図３】本発明に係る媒体切断装置の一実施形態の構成を示す正面図である。
【図４】上記実施形態に係る媒体切断装置を側面からみた図であって、（ａ）カッタユニットが往路移動をする様子、（ｂ）カッタユニットが復路移動をする様子、（ｃ）カッタユニットによってカット後のロール紙が押し上げられた様子、を示す概略構成図である。
【図５】本発明に係る媒体切断装置の別の実施形態におけるカッタユニットを側面からみた図であって、（ａ）往路移動をする様子、（ｂ）復路移動をする様子、（ｃ）カット後のロール紙が押し上げられる様子、を示す概略構成図である。
【図６】本発明に係る媒体切断装置のさらに別の実施形態を正面から見た概略構成図である。
【図７】本発明に係る媒体切断装置が備えるカッタユニットの実施形態を正面から見た概略構成図である。
【図８】上記一実施形態に係るカッタユニットの特徴を側面から明示する概略構成図である。
【図９】従来のシート切断装置における課題を説明する概略側面図である。
【図１０】従来のシート切断装置における課題解決の一例を説明する概略側面図である。
【図１１】本発明に係る媒体切断装置のさらに別の実施形態におけるカッタユニットを媒体の搬送方向からみた図であって、（ａ）切断モードになっている様子、（ｂ）押上モードになっている様子、を示す概略図である。
【発明を実施するための形態】
【００１２】
＜本発明の要旨＞
本発明は、搬送経路上を搬送されるシートを所定の長さに切断する媒体切断装置に関するものである。本発明は、シートを切断するためにシートの幅方向を往復するカッタ機構がホームポジションに戻るための復路の移動時にカット済みのシートの後端部を押し上げるように構成されていることを要旨の一つとする。
【００１３】
＜画像形成装置の概要＞
以下、本発明に係る媒体切断装置と、この媒体切断装置を備える画像形成装置の実施形態について、図面を参照しながら説明をする。本発明に係る画像形成装置の一実施形態は、図１に示すようなシリアル型のインクジェットプリンタ１である。
【００１４】
図１に示すインクジェットプリンタ１は、シート状の記録媒体であるロール紙３０（媒体）を用いる画像形成装置である。このインクジェットプリンタ１は、画像形成手段としての画像形成部２と、シート搬送手段であって搬送装置を構成するシート搬送部３と、ロール紙収容部４と、媒体切断装置であるシートカッタ５と、を含んで構成されている。これら列記した各手段及び各部は、インクジェットプリンタ１の装置本体１ａの内部に配置されている。
【００１５】
画像形成部２は、装置本体１ａの両側板に掛け渡されたガイドロッド１３およびガイドレール１４によって、図１中の矢印Ａの方向に摺動可能に保持されているキャリッジ１５を備えている。
【００１６】
キャリッジ１５は、ブラック（Ｋ）、イエロー（Ｙ）、マゼンタ（Ｍ）、シアン（Ｃ）の各色のインク滴を吐出する液体吐出ヘッド（記録ヘッド）を備えている。この液体吐出ヘッドのそれぞれには、各色のインクを各液体吐出ヘッドに供給するサブタンクが一体的に設けられている。
【００１７】
キャリッジ１５は、主走査機構１０によって主走査方向に移動走査されるように構成されている。ここで、主走査方向とは、ロール紙３０のシート幅方向である。即ち、主走査方向とは、図１中における矢印Ａで示す方向である。
【００１８】
主走査機構１０は、ロール紙３０のシート幅方向の一方側に配置される駆動モータ２１を備えている。主走査機構１０は、駆動モータ２１によって回転駆動される駆動プーリ２２と、シート幅方向の他方側に配置された従動プーリ２３と、駆動プーリ２２と従動プーリ２３との間に掛け回されたベルト部材２４と、を備えている。
【００１９】
従動プーリ２３は、駆動プーリ２２に対して離間する方向にテンションが掛けられた状態で固定されている。ベルト部材２４は、キャリッジ１５の背面側に設けたベルト固定部に一部分が固定保持されていることで、シート幅方向にキャリッジ１５を牽引する。また、キャリッジ１５の主走査位置を検知するため、エンコーダシートがキャリッジ１５のシート幅方向に沿って配置されている。キャリッジ１５の主走査位置は、キャリッジ１５に設けられたエンコーダセンサによってエンコーダシートが読取られることにより検知される。
【００２０】
このキャリッジ１５における主走査領域のうち、ロール紙３０はシート搬送部３によって間欠的に搬送される。ロール紙３０の搬送方向であるシート搬送方向は、シート幅方向と直交する方向である。即ち、本実施形態においてシート搬送方向は、図１中の矢印Ｂにおいて示す方向である。
【００２１】
ロール紙３０のシート幅方向のキャリッジ移動領域外、または主走査領域のうち一方の端部側領域には、記録ヘッドのサブタンクに供給する各色のインクを収容したメインカートリッジ１８が装置本体１ａに対して着脱自在に装着されている。さらに、上記主走査領域のうち他方の端部側領域には、記録ヘッドの維持回復を行う維持回復機構１９が配置されている。
【００２２】
ロール紙収容部４は、給紙手段であり、記録媒体である画像記録用のシートとしてロール紙３０がセットされるようになっている。このロール紙収容部４には、シート幅方向のサイズが異なるロール紙３０がセット可能である。ロール紙３０は、その紙軸に両側からフランジ３１を装着し、このフランジ３１をフランジ受け３２に載置することによりロール紙収容部４に収容される。フランジ受け３２の内部には、支持コロが設けられ、この支持コロがフランジ３１の外周と当接することでフランジ３１が回転し、ロール紙３０がシート状になってシート搬送経路に送り出される。
【００２３】
本実施形態に係るインクジェットプリンタ１は、キャリッジ１５をロール紙３０の幅方向に走査させながら、ロール紙３０に向けてインク滴をするインクジェットヘッドから吐出して画像を形成する。この幅方向における走査を１回あるいは複数回行うことで、画像形成が完了する。画像形成が完了したロール紙３０は搬送され、図１中の矢印Ｂの方向に搬送されて、後述するシートカッタ５を用いて切断されて出力される。なお、シートカッタ５は、インクジェットプリンタ１に対して着脱可能な状態で装着されている。
【００２４】
なお、本実施形態に係るインクジェットプリンタ１は、シリアル型に限るものではない。例えば、複数のノズルを備えるインクジェットヘッドがロール紙３０の幅方向全域に対向するように配置され、キャリッジ１５による幅方向への走査を行わずに記録媒体を搬送し画像を記録する、いわゆるライン型のインクジェット式記録装置にも適用可能である。
【００２５】
また、本実施形態における記録媒体としてロール紙３０を例示しているが、これに限るものではない。本発明に係る媒体切断装置に用いることができるシート状媒体は、いわゆる記録媒体である用紙の他に、例えば、ＯＨＰシート、プリプレグ、または銅箔などのシート状の部材であれば適用可能である。即ち、本発明に係る媒体切断装置に適用可能なシート状媒体は、切断可能な状態に搬送され排出されるものであればよい。
【００２６】
図２は、インクジェットプリンタ１の内部に搭載されるシートカッタ５を含む構造を側面方向から見た構成図である。図２に示すように、シート搬送部３は、給紙ローラ対３３と、搬送ローラ３４およびレジスト加圧ローラ３５とを備えている。給紙ローラ対３３は、ロール紙収容部４からロール紙３０をシート搬送経路に給紙するようになっている。搬送ローラ３４およびレジスト加圧ローラ３５は、画像形成部２のシート搬送方向下流に設けられている。搬送ローラ３４およびレジスト加圧ローラ３５の間を通過してロール紙３０はシートの状態で供給されて、画像形成部２を介してシートカッタ５に搬送するようになっている。
【００２７】
ロール紙収容部４から送り出されたロール紙３０は、シート搬送部３により、装置本体１ａの後方（図２中における矢印Ｂの向きの反対側）から前方（同矢印Ｂの向きの側）に向けて画像形成部２の下部に位置する所定の記録領域へと搬送される。この記録領域にロール紙３０が搬送されると、キャリッジ１５がシート幅方向に往復移動して、画像情報に応じて記録ヘッドによるインク滴の吐出が実行される。さらに、ロール紙３０を間欠的に搬送しながら記録ヘッドによるインク滴の吐出を繰り返し行うことで、ロール紙３０の各記録ラインに画像が形成される。最終的には、画像情報に応じた所望の画像がロール紙３０に形成される。
【００２８】
画像形成後のロール紙３０は、シートカッタ５によって所定の長さに切断され、排紙ローラを介して装置本体１ａの前方側に配置された排紙トレイに排出される。
【００２９】
＜媒体切断装置の概要＞
次に、本発明に係る媒体切断装置の実施形態について説明する。図３は、本実施形態に係るシートカッタ５の構成を正面方向から見た構成図である。なお、正面方向とは、シート状部材であるロール紙３０の搬送方向における下流方向である。
【００３０】
図２において説明したとおり、シートカッタ５は、画像形成部２のシート搬送方向下流側に配置される。シートカッタ５は、ロール紙３０を切断してシート状にするカッタ５０と、カッタ５０を移動させるカッタユニット５１と、カッタユニット５１の移動路を形成するガイド部材５２と、を含んで構成されている。
【００３１】
カッタ部であるカッタ５０は、ロール紙３０を介して互いに対向配置された２つの円形刃物（５０ａ、５０ｂ）を有してなり、カッタユニット５１において回転可能に保持されている。第１円形刃物５０ａと第２円形刃物５０ｂは、カッタユニット５１のシート幅方向（図３中において矢印Ａで示す方向）の移動に応じて駆動力を得て回転する。即ち、カッタ５０は、第１円形刃物５０ａと第２円形刃物５０ｂが回転しながらロール紙３０を切断するため、比較的厚さのあるシート状部材であっても対応できる。
【００３２】
また、カッタ５０は、円形刃物で構成されているため、固定刃のように所定箇所のみが集中して摩耗するといった不具合を防止することができる。なお、カッタ５０を構成する円形刃物は、２枚に限らず、３枚以上で構成されていてもよい。本実施の形態における第１円形刃物５０ａ、第２円形刃物５０ｂは、本発明に係る刃部を構成している。
【００３３】
カッタユニット５１は、ロール紙３０のシート幅方向に対して往復移動ができるように移動経路２０３内を移動可能に構成されている。移動経路２０３は、例えばカッタユニット５１を摺動可能に案内するレール部材（上ガイドレール６１、下ガイドレール６２など）で構成されている。装置本体１ａ（図１参照）の他方側から一方側へ移動する往路では、第１円形刃物５０ａと第２円形刃物５０ｂがロール紙３０を挟むように移動する。これによって、カッタ５０がロール紙３０を切断する。即ち、カッタ５０は、ロール紙３０が搬送される方向（以下、「案内方向」とする）と交差する方向に沿って設けられたレール部材の内側に設けられている。カッタ５０は、レール部材によって、ロール紙３０の案内方向と交差する方向に移動し、ロール紙３０を切断する。
【００３４】
一方、カッタユニット５１は、装置本体１ａ（図１参照）の一方側から他方側へ移動する復路では、往路と異なる経路を通って移動するように構成されている。カッタユニット５１における復路は、シート搬送経路からシート厚さ方向の下方に退避した位置に形成される。即ち、カッタユニット５１は、ロール紙３０を切断後、ロール紙３０の搬送面から鉛直方向の下方に対して、シート搬送経路から離隔した位置に形成されている復路を通過して元の位置（以下、ホームポジションという）に移動するように構成されている。これによって、復路を移動するカッタユニット５１が、シート搬送経路を塞ぐことはない。なお、カッタユニット５１は、シート幅方向の両端に設置されたマイクロスイッチなどの検出手段により位置が検出されて、この位置検出に基づいて上記に説明したような移動になるように動作制御がなされる。
【００３５】
次に、カッタユニット５１の具体的な構成について説明する。カッタユニット５１は、駆動コロ５１ａと、従動コロ５１ｂとを備え、内部にカッタ５０を保持している。駆動コロ５１ａは、装置本体１ａ（図１参照）のシート幅方向両側に設けられた一対のプーリ５４に架け渡されたワイヤ５５に接続されている。また、ワイヤ５５は、駆動モータ２１により回転するプーリ５４を介して幅方向に回転移動するようになっている。したがって、駆動コロ５１ａは、ワイヤ５５の回転移動に応じて後述する上ガイドレール６１上を回転駆動するようになっている。
【００３６】
カッタユニット５１は、駆動コロ５１ａの回転駆動により、ロール紙３０の幅方向（シート幅方向）に渡って設けられた移動経路２０３内を移動できるように構成されている。従動コロ５１ｂは、駆動コロ５１ａとシート幅方向に離間した位置に回転自在に設けられている。従動コロ５１ｂは、カッタユニット５１の往路では後述する上ガイドレール６１上を移動し、復路では後述する下ガイドレール６２上を移動するようになっている。即ち、従動コロ５１ｂは、カッタユニット５１の移動に際し、上ガイドレール６１および下ガイドレール６２に対してカッタユニット５１を位置決めする部材として機能する。
【００３７】
なお、カッタユニット５１の位置決め用の部材としては、従動コロ５１ｂに限らず、例えば円弧状の突起であってもよい。本実施の形態における従動コロ５１ｂは、本発明に係る位置決め部を構成している。
【００３８】
また、カッタユニット５１は、往路と復路との切換時、駆動コロ５１ａを支点に鉛直方向に回動するようになっている。これにより、カッタユニット５１は、往路でロール紙３０を切断する姿勢と、復路でシート搬送経路から退避した姿勢とが切り換わるようになっている。図１において、ロール紙３０を切断する姿勢は符号Ｍ１を用いて図示し、シート搬送経路から退避した姿勢は符号Ｍ２を用いて図示している。
【００３９】
また、カッタユニット５１は、カッタ５０の他に押上部２００も備えている。押上部２００は、カットされたロール紙３０（つまりカット後用紙９１である切断片）を下方から支える部分となる（詳しくは後述する）。
【００４０】
つまりカッタユニット５１は、カッタ５０でロール紙３０を切断するための切断モードと、押上部２００でカット後用紙９１である切断片を押し上げるための押上モードＭ２の、２つのモードの間で切り替えが可能な構成を備える。ここでカッタユニット５１におけるモードとは、カッタユニット５１の形状、姿勢、位置、高さ、などの状態を含む。本実施形態では、カッタユニット５１の位置及び姿勢を変更することでモードの切換を行っている。例えば、カッタ５０の内部に押上部２００を設けるならば、モータ等の動力によって押上部２００を外部に露出させるように動作させる方法でも、モード切換を行うことができる。
【００４１】
なお、押上部２００が押し上げるのはカット後用紙９１に限られず、まだ切断されていないロール紙３０である次搬送用紙９０を押し上げてもよい。
【００４２】
また以降の説明で特筆しない場合は、「カット後用紙９１」は切断された媒体を意味し、「媒体」は切断されていない媒体を意味する。なお「切断されていない媒体」とは、カット後用紙９１よりも搬送方向上流側にあり、カット後用紙９１を搬送方向へ押し出せる媒体を意味する。
【００４３】
ここで、従来のシート切断装置において生じる不具合について説明する。図９は、従来のシート切断装置におけるシート切断動作の例を示す図である。なお、搬送ローラ３４など、すでに説明をした本実施形態に係るインクジェットプリンタ１やシートカッタ５が備える構成と同様の構成については、同じ符合を付して説明する。
【００４４】
図９（ａ）は、カッタユニット５１が往路でロール紙３０を切断している様子を例示している。図９（ａ）に示すように、ロール紙３０は、プラテン３６に吸引されながら、搬送ローラ３４とレジスト加圧ローラ３５でニップして搬送される。切断された側のロール紙３０であるカット後用紙９１（切断片）の後端部９１０（つまり、媒体搬送方向における上流端部）は、重力によって排紙ガイド板８０に沿う形でカッタユニット５１の移動路側に垂れ下がる。
【００４５】
図９（ｂ）は、カッタユニット５１がロール紙３０を切断した後、復路を経由してホームポジションに戻る状態を例示している。カッタユニット５１が復路を移動しているとき、ロール紙３０は、次の処理（画像形成処理、カット処理）を実行するため位置に搬送される。このときのロール紙３０の搬送は、間欠的に行われる。搬送により、次にカットされる位置にロール紙３０が至ったとき、カッタユニット５１が往路を移動しながらロール紙３０を切断する。ここで、ロール紙３０が次にカットされる位置に搬送されるとき、次搬送用紙９０の先端部９００（つまり、媒体搬送方向における下流端部７１）は、排紙ガイド板８０や排紙ガイドカバー８１に残置しているカット後用紙９１に積み重なりやすい。この状態で次搬送用紙９０は、搬送に伴ってすでにカットされているカット後用紙９１の後端付近から前方に向かって擦れながら重なっていく。
【００４６】
特に、低温低湿環境において静電気が生じやすいときは、カット後用紙９１が、排紙ガイド板８０や排紙ガイドカバー８１に貼り付いてしまい、次搬送用紙９０の搬送により排出方向に力が加えられても、積み重なったまま排紙されない状態になる。このように、カット後用紙９１の上に次搬送用紙９０が重なって擦れながら搬送される状態になると、カット後用紙９１の乾燥前のインクが次搬送用紙９０に裏移りする。また、ロール紙３０の残量が少なくカールが強くなった場合には、カット後用紙９１の後端部が排紙ガイド板８０をくわえ込みやすくなり、同様の現象が生じる。
【００４７】
上記のような従来の不具合に対して、例えば図１０（ａ）や図１０（ｂ）に示すような対策が考えられる。図１０（ａ）に示すように、排紙ガイド板８０に除電ブラシ８２を設けて、静電気を除去することができる。これによってカット後用紙９１が静電気によって排紙ガイド板８０に貼り付くことを防ぐことができるが、除電ブラシ８２の経時劣化によって、ブラシ先端が乱れると、次搬送用紙９０が引っかかってしまい、ジャムになる。また、除電ブラシ８２を設けるための製造コストアップや、装置の外観への悪影響が懸念される。
【００４８】
また、図１０（ｂ）に示すように、排紙ガイド板８０に排紙コロ８３を設置することもできる。しかし、この場合、排紙コロ８３に対向配置される拍車８４によって、カット後用紙９１に形成されている画像に痕がつく。また、排紙コロ８３と拍車８４の間に、次搬送用紙９０の先端が上手く入らないと、ジャムになる懸念がある。さらに、排紙コロや拍車８４を別途設けるために、製造コストがアップする。
【００４９】
本発明に係る媒体切断装置及び画像形成装置は、上記のような従来の不具合を解決しうる手段として、カッタユニット５１の往路と復路における移動経路を異なるものにし、カッタユニット５１がカット後用紙９１の後端部を押し上げながら復路を移動する。次に、本発明に係る媒体切断装置の実施形態に係る動作と作用効果について説明する。
【００５０】
＜第１実施形態について＞
図４は、本発明に係る媒体切断装置の実施形態であるシートカッタ５を側面から見た構成を概略的に示す概略構成図である。図４（ａ）は、カッタユニット５１（及びカッタ５０）が往路移動をしながらロール紙３０を切断している様子を例示している。このとき、カッタユニット５１は先述した切断モードとなっている。
【００５１】
より具体的には、切断モードでは、カッタ５０の高さがロール紙３０と同じ高さになる。これにより、カッタ５０でロール紙３０を切断することができる。
【００５２】
なお、カッタユニット５１は、シートの幅方向に沿って設けられた移動経路２０３内を往復移動する構成となっている。移動経路２０３は、例えばカッタユニット５１が収まる程度の大きさをもった溝または隙間である。本実施形態では、プラテン３６と排紙ガイド板８０の間を、移動経路２０３としている。移動経路２０３は、案内部の案内経路上のどこかに設けられていれば良く、形態はこれに限られない。
【００５３】
図４（ａ）に示すように、ロール紙３０は、プラテン３６に吸引されながら、搬送ローラ３４とレジスト加圧ローラ３５でニップされて、矢印Ｂにおいて示す案内方向に搬送される。これによって、ロール紙３０は移動経路２０３の上方をまたがるようにして搬送される。所定の長さだけＢ案内方向にロール紙３０が搬送されたとき、カッタユニット５１が移動経路２０３内を移動する。これによってロール紙３０が切断される。切断された側のロール紙３０であるカット後用紙９１の後端部９１０は、重力やロール紙３０のクセ等によって排紙ガイド板８０に沿うようにして、移動経路２０３の下方向に垂れ下がる。
【００５４】
図４（ｂ）は、カッタユニット５１の押上部２００がカット後用紙９１を押し上げている様子を示している。カッタユニット５１は、復路の移動時に、カット後用紙９１の後端部９１０を上端の面部分によって押し上げるようになっている。このときカット後用紙９１の後端部９１０は、カッタユニット５１によって排紙ガイド板８０の上流側のテーパ形状の部分に乗っている位置から、排紙ガイド板８０の上面（フラット面）辺りまで押し上げられる。つまり、復路の移動時のカッタユニット５１によって、カット後用紙９１の後端部９１０は切断されたときの位置に戻される。これによって、仮に、カット後用紙９１が静電気によって排紙ガイド板８０に貼り付いていても、カッタユニット５１によるカット後用紙９１の後端部９１０の押し上げの作用により剥がされる。カット後用紙９１の後端部９１０が押し上げられたカット後用紙９１は、重力の作用により排紙ガイドカバー８１の傾斜に沿って排出されやすくなる。
【００５５】
つまりこのとき、カッタユニット５１は、先述した押上モードＭ２となっている。より具体的には、押上モードＭ２のときのカッタユニット５１の押上部２００は、高さがカット後用紙９１よりも下方になっている。この位置関係によって、カッタユニット５１が移動経路２０３を移動したとき、押上部２００でカット後用紙９１の後端部９１０を下方から押し上げることができる。
【００５６】
また当然ながら、押上モードＭ２では、カッタ５０がロール紙３０と接触しない構成にすることが望ましい。
【００５７】
また、図４（ｂ）に示した状態において、カット後用紙９１が排紙ガイドカバー８１の傾斜に沿って排出されない場合、図４（ｃ）に示すように、次搬送用紙９０の搬送動作で次搬送用紙９０の先端部９００がカット後用紙９１の後端部９１０を押し出す状態になる。これによって、次搬送用紙９０の搬送に応じてカット後用紙９１は排紙され、カット後用紙９１に次搬送用紙９０が重なってしまう排紙ジャムを防ぐことができる。
【００５８】
カッタユニット５１の復路の移動が終了した状態で、次搬送用紙９０の搬送を行っても、上記のような効果を得ることはできる。しかし、カッタユニット５１の復路移動が終了すると、カッタユニット５１によって一旦持ち上げられたカット後用紙９１の後端部９１０が、重量の作用によって、排紙ガイド板８０のテーパ側に戻ることもある。したがって、カッタユニット５１の復路移動が行われているときに次搬送用紙９０の搬送操舵を実行する方がより好適である。この場合、カット後用紙９１の排紙ガイド板８０に対する摩擦負荷が少ないので、次搬送用紙９０による押し出しも、より容易に行える。
【００５９】
図８は、本実施形態に係るカッタユニット５１が第２位置にいる状態を例示している。図８に示すように、本実施形態に係る押上部２００は、実線円で示す上流側案内部の下流端部７１よりも下方にある。また、本実施形態に係る押上部２００は、破線円で示す下流側案内部の上流端部７２よりも上方にある。言い換えると、押上部２００の上面は、上流側案内部の下流端部７１よりも鉛直下方であって、下流側案内部の上流端部７２よりも鉛直上方にある状態がカッタユニット５１における第２位置である。
【００６０】
なお本実施形態においては、移動経路２０３の上流端部はプラテン３６の端部により構成され、移動経路２０３の下流端部は排紙ガイド板８０の端部により構成されている。
【００６１】
これによって、カッタユニット５１の復路移動を行いながら、次搬送用紙９０を搬送しても、次搬送用紙９０がカッタユニット５１に引っかかることはない。また、カッタユニットが復路移動を行いながら、カット後用紙９１の後端部９１０を押し上げるようにして、次搬送用紙９０の先端部９００とカット後用紙９１の後端部９１０とが接触するように保持する。
【００６２】
特に、押上部２００の下流側の端面は、排紙ガイド板８０のテーパ面からカット後用紙９１の後端部９１０をすくい上げる作用を生じさせるので、カット後用紙９１を排紙ガイド板８０から押し上げることができる。これによって、カット後用紙９１を押し出ししやすい状況になる。
【００６３】
なお、カッタユニット５１における復路の移動を開始するタイミングは、次搬送用紙９０の搬送の開始前でもよいし、次搬送用紙９０の搬送の開始後でもよい。
【００６４】
＜第１実施形態の効果＞
以上の本実施形態に係るカッタユニット５１によれば、ロール紙３０が帯電して排紙ガイド板８０に残置されやすい状態や、残量が少なくカールが強くて排紙ガイド板８０をくわえてしまい残置されやすい状態になっても、排紙ジャムを防止することができる。これによって、カット後用紙９１による画像擦れを防止し、出力した画像の質の低下を防止することができる。
【００６５】
また、カッタユニット５１がカット後用紙９１の後端部９１０を押上部２００によって押し上げているときに、次搬送用紙９０の搬送が行われるので、カット後用紙９１の後端部９１０と次搬送用紙９０の先端部９００が重ならず、先端部９００が後端部９１０を押し出す状態にできる。これによって、ロール紙３０の排出を確実に行うことができる。また、カット後用紙９１がカッタユニット５１によって押し上げられた状態で押し出されるので、ロール紙３０が帯電により排紙ガイド板８０に密着していても、動摩擦状態になることで排紙を容易に行うことができる。
【００６６】
さらに、カッタユニット５１の復路移動の途中において、次搬送用紙９０の搬送を行っても、次搬送用紙９０の先端部がカッタユニット５１に引っかかることはなく、排紙スタック不良を防ぎながら、スムーズな排紙を行うことができる。
【００６７】
なお、本実施形態ではプラテン３６、排紙ガイド板８０、排紙ガイドカバー８１と案内部としているが、形態はこれに限られない。
【００６８】
＜第２実施形態について＞
次に、本発明に係る媒体切断装置の第２実施形態について詳細に説明する。図５は、本実施形態に係るシートカッタ５を側面（ロール紙３０の幅方向）から見た構成を概略的に示す概略構成図である。図５（ａ）は、カッタユニット５１が往路移動をしながらロール紙３０を切断している様子を例示している。図５（ａ）に示すように、ロール紙３０は、プラテン３６に吸引されながら、搬送ローラ３４とレジスト加圧ローラ３５でニップされて、カッタユニット５１の往路を越えて搬送される。矢印Ｂにおいて示す案内方向に搬送される。ロール紙３０が所定の長さだけ搬送されたとき、カッタユニット５１が切断モードの状態で移動経路２０３内を移動して、ロール紙３０を切断する。
【００６９】
切断された側のロール紙３０であるカット後用紙９１の後端部９１０は、重力やロール紙のクセ等によって排紙ガイド板８０に沿うように、カッタユニット５１の移動路側に垂れ下がる。ここで、第１実施形態とは異なり、本実施形態に係るカッタユニット５１は、図５（ｂ）に示すように、復路移動によってホームポジションに復帰するときに、ロール紙３０の用紙幅の途中で停止し、カット後用紙９１の後端部９１０を押し上げた状態を保持する。
【００７０】
カット後用紙９１の後端部９１０を押し上げた状態を保持するために、カッタユニット５１を復路の途中（中央近傍）で停止させた状態で、次搬送用紙９０をさらに搬送すると、図５（ｃ）のような状態になる。ロール紙３０は所定の方向に巻いてあるため、次搬送用紙９０の先端とカット後用紙９１の後端は互いに同じ方向に曲がっている。この曲がっている端部同士がカッタユニット５１の上面部分において重なることなく、線接触する。したがって、次搬送用紙９０の先端部がカット後用紙９１の後端部９１０を線で押すので、確実に排紙することができる。
【００７１】
図６は、本実施形態に係るカッタユニット５１を正面から見た概略構成図である。図６は、カッタユニット５１における復路移動の途中において、ロール紙３０の幅方向の中央付近（用紙幅方向Ｗの略半分）で停止した状態を示している。この場合、カット後用紙９１の幅方向の中央部分が押し上げられる。これによって、カット後用紙９１の後端部は、中央部分が凸状になり幅方向の左右に向かうに従ってなだらかな下り傾斜になる。一方、次搬送用紙９０の前端部は、幅方向において直線状になっている。
【００７２】
したがって、カット後用紙９１の後端部９１０と、次搬送用紙９０の先端部９００が搬送方向において重なりあって積み重なることはなく、端部同士が点Ｐで衝突するので、次搬送用紙９０によってカット後用紙９１が押し出される。また、カット後用紙９１の中央付近が押されるので、カット後用紙９１は真直ぐ押しだされる。このため、搬送方向の下流にスタッカがある場合などは、スタック性能が向上する。
【００７３】
＜第２実施形態の効果＞
以上説明をした本実施形態に係るカッタユニット５１によれば、カッタユニット５１の復路移動を一旦停止しカット後用紙９１の後端を押し上げた状態で維持するので、次搬送用紙９０によって容易にカット後用紙９１を押し出すことができる。この場合、カット後用紙９１の幅方向の中央部分を押し出すことになるので、カット後用紙９１をまっすぐに排紙して落下させることができる。即ち、スタック性の良い状態で排紙されたカット後用紙９１のスタックさせることができる。
【００７４】
なお、本実施形態において、搬送動作をするときにカッタユニット５１を必ずしも停止させなくてもよい。つまり、中央近傍でカッタユニット５１の移動速度を下げるだけでも効果は発揮できる。
【００７５】
＜第３実施形態について＞
次に、本発明に係る媒体切断装置の第３実施形態について詳細に説明する。図７は、本実施形態に係るシートカッタ５を正面（ロール紙３０の案内方向）から見た構成を概略的に示す概略構成図である。図７に示すように、カッタユニット５１は、復路移動時において、カット後用紙９１を押し上げる構成を備えている。即ち、カッタユニット５１の上面部分（押上部２００）には、カット後用紙９１（切断片）の幅方向端部を上方向に滑らせて持ち上げられるテーパ形状部５１１が形成されている。
【００７６】
そして、押上部２００がカット後用紙９１と接しているとき、ロール紙３０の案内方向からみて、押上部２００がカット後用紙９１と接触する面（即ちテーパ形状部５１１）と、カット後用紙９１とが成す角度αは９０度未満である。
【００７７】
＜第３実施形態の効果＞
上記の構成を備える本実施形態に係るカッタユニット５１によれば、カット後用紙９１の端部を押し上げて下方に潜り込み、その後、復路移動をしながらカット後用紙９１を持ち上げるので、排紙スタックの不良を防止しやすく、スムーズな排紙を行うことができる。
【００７８】
＜第４実施形態について＞
次に、本発明に係る媒体切断装置の第４実施形態について詳細に説明する。図１１（ａ）、図１１（ｂ）は、カッタユニット５１をロール紙３０の搬送方向から見た図である。本実施形態では、ベース８０１の両端にそれぞれカッタ５０と押上部２００が設けられている。図１１（ａ）では、カッタ５０によりロール紙３０を切断する切断モードとなっている。切断モードでは、バネ８０２によってベース８０１は破線の矢印方向に付勢されている。
【００７９】
そして、ベース８０１が回転軸８００を中心として回転することで、押上部２００によりカット後用紙９１を押し上げる押上モードＭ２に切換可能になっている。本実施形態では、カム８０３が図示しない駆動源等によって回転することで、バネ８０２がベース８０１を破線の矢印方向へと回転させ、押上部２００が上方に飛び出るようになっている。
【００８０】
つまり、モードの切換はカッタユニット５１の姿勢や位置の変更に限られることはなく、本実施形態のようにカッタユニット５１の姿勢を変えずにモード切換が可能な構成とすることもできる。また、このような構成とした場合、カッタユニット５１の姿勢変化が不要であるため、姿勢変化に必要なスペースを節約できる。本実施形態のカム８０３やベース８０１を用いた構成は一例であり、公知の技術や構成を用いることが可能である。
【００８１】
なお各実施形態において、押上部２００をカッタユニット５１とは別の部材として構成することも可能である。つまり少なくとも、案内部（プラテン３６など）の他に押上部があり、切断された媒体（切断片であるカット後用紙９１）を押上部２００により押し上げ可能な構成であれば、搬送不良を改善できる。また媒体の切断手段は、往復移動するカッタに限られない。
【００８２】
また本願には以下の発明も含まれる。
【００８３】
例えば、第１の媒体（カット後用紙９１）と、第１の媒体よりも搬送方向において上流に位置する第２の媒体（次搬送用紙９０）とを搬送する媒体の搬送方法であって、第１の媒体の後端部９１０を撓ませた後、第２の媒体を搬送方向へと搬送し、第２の媒体の先端部９００を第１の媒体の後端部９１０に接触させ、第１の媒体を押し出すようにして搬送する搬送方法に係る発明も含まれる。
【００８４】
また画像形成装置としては、液体を吐出するインクジェット方式に限らず、電子写真方式をはじめとする既存の方式を用いることができる。
【００８５】
本願において、吐出される「液体」は、ヘッドから吐出可能な粘度や表面張力を有するものであればよく、特に限定されないが、常温、常圧下において、または加熱、冷却により粘度が３０ｍＰａ・ｓ以下となるものであることが好ましい。より具体的には、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、などを含む溶液、懸濁液、エマルジョンなどであり、これらは例えば、インクジェット用インク、表面処理液、電子素子や発光素子の構成要素や電子回路レジストパターンの形成用液、３次元造形用材料液等の用途で用いることができる。
【００８６】
「液体吐出ヘッド」には、液体を吐出するエネルギー発生源として、圧電アクチュエータ（積層型圧電素子及び薄膜型圧電素子）、発熱抵抗体などの電気熱変換素子を用いるサーマルアクチュエータ、振動板と対向電極からなる静電アクチュエータなどを使用するものが含まれる。
【００８７】
「液体を吐出する装置」には、液体吐出ヘッドを駆動させて液体を吐出させる装置が含まれる。液体を吐出する装置には、液体が付着可能なものに対して液体を吐出することが可能な装置だけでなく、液体を気中や液中に向けて吐出する装置も含まれる。
【００８８】
この「液体を吐出する装置」は、液体が付着可能なものの給送、搬送、排紙に係わる手段、その他、前処理装置、後処理装置なども含むことができる。
【００８９】
例えば、「液体を吐出する装置」として、インクを吐出させて用紙に画像を形成する装置である画像形成装置、立体造形物（三次元造形物）を造形するために、粉体を層状に形成した粉体層に造形液を吐出させる立体造形装置（三次元造形装置）がある。
【００９０】
また、「液体を吐出する装置」は、吐出された液体によって文字、図形等の有意な画像が可視化されるものに限定されるものではない。例えば、それ自体意味を持たないパターン等を形成するもの、三次元像を造形するものも含まれる。
【００９１】
上記「液体が付着可能なもの」とは、液体が少なくとも一時的に付着可能なものであって、付着して固着するもの、付着して浸透するものなどを意味する。具体例としては、用紙、記録紙、記録用紙、フィルム、布などの被記録媒体、電子基板、圧電素子などの電子部品、粉体層（粉末層）、臓器モデル、検査用セルなどの媒体であり、特に限定しない限り、液体が付着するすべてのものが含まれる。
【００９２】
上記「液体が付着可能なもの」の材質は、紙、糸、繊維、布帛、皮革、金属、プラスチック、ガラス、木材、セラミックスなど液体が一時的でも付着可能であればよい。
【００９３】
また、「液体を吐出する装置」は、液体吐出ヘッドと液体が付着可能なものとが相対的に移動する装置があるが、これに限定するものではない。具体例としては、液体吐出ヘッドを移動させるシリアル型装置、液体吐出ヘッドを移動させないライン型装置などが含まれる。
【００９４】
また、「液体を吐出する装置」としては、他にも、用紙の表面を改質するなどの目的で用紙の表面に処理液を塗布するために処理液を用紙に吐出する処理液塗布装置、原材料を溶液中に分散した組成液を、ノズルを介して噴射させて原材料の微粒子を造粒する噴射造粒装置などがある。
【００９５】
なお、本願の用語における、画像形成、記録、印字、印写、印刷、造形等はいずれも同義語とする。
【符号の説明】
【００９６】
１      インクジェットプリンタ（画像形成装置、液体を吐出する装置）
１ａ    装置本体
２      画像形成部
３      シート搬送部
４      ロール紙収容部
５      シートカッタ
１０    主走査機構
１３    ガイドロッド
１４    ガイドレール
１５    キャリッジ
１８    メインカートリッジ
１９    維持回復機構
２１    駆動モータ
２２    駆動プーリ
２３    従動プーリ
２４    ベルト部材
３０    ロール紙（媒体）
３１    フランジ
３２    フランジ受け
３３    給紙ローラ対
３４    搬送ローラ
３５    レジスト加圧ローラ
３６    プラテン（案内部、上流側案内部）
５０    カッタ（カッタ部）
５０ａ  第１円形刃物
５０ｂ  第２円形刃物
５１    カッタユニット
５１ａ  駆動コロ
５１ｂ  従動コロ
５２    ガイド部材
５４    プーリ
５５    ワイヤ
６１    上ガイドレール
６２    下ガイドレール
７１    上流側案内部の下流端部
７２    下流側案内部の上流端部
８０    排紙ガイド板（案内部、下流側案内部）
８１    排紙ガイドカバー（案内部）
８２    除電ブラシ
８３    排紙コロ
８４    拍車
９０    次搬送用紙（媒体）
９１    カット後用紙（切断片）
２００  押上部
２０３  移動経路
５１１  テーパ形状部
９００  次搬送用紙の先端部
９１０  カット後用紙の後端部
【先行技術文献】
【特許文献】
【００９７】
【特許文献１】特開２０１０−２２８１００号公報
【図１】
2018002479.tif 000003
【図２】
2018002479.tif 000004
【図３】
2018002479.tif 000005
【図４】
2018002479.tif 000006
【図５】
2018002479.tif 000007
【図６】
2018002479.tif 000008
【図７】
2018002479.tif 000009
【図８】
2018002479.tif 000010
【図９】
2018002479.tif 000011
【図１０】
2018002479.tif 000012
【図１１】
2018002479.tif 000013